(57)【特許請求の範囲】
【請求項１】
積層された記録用紙を移動する呼込みローラと、呼込みローラより記録用紙の搬送経路の下流側に設けられた給紙ローラと、記録用紙の搬送経路を挟んで給紙ローラと対向して設けられた逆転ローラとを有し、前記呼込みローラと給紙ローラを、中心部に回動支点を有する回動アームの両端部で保持し、前記呼込みローラの記録用紙に対する接触と前記給紙ローラの前記逆転ローラに対する接触を前記回動アームの回動により切り替える給紙装置であって、
前記給紙ローラと逆転ローラのニップ部の前記逆転ローラの両側近傍に、前記呼込みローラが記録用紙と接触して記録用紙を移動しているときに、移動している記録用紙を逆転ローラの表面から持ち上げ、前記呼込みローラと記録用紙の接触を解除して前記給紙ローラを前記逆転ローラに接触したときに記録用紙の搬送経路から退避して記録用紙の持ち上げを解除する離間手段を有することを特徴とする給紙装置。
【請求項２】
前記呼込みローラの記録用紙に対する接触を、前記給紙ローラの下流側に設けた用紙検出センサからの用紙検出信号により解除して前記給紙ローラを前記逆転ローラに接触させる請求項１記載の給紙装置。
【請求項３】
前記回動アームを、前記呼込みローラが記録用紙に接触しなく、前記給紙ローラも前記逆転ローラに接触しない初期位置と、前記呼込みローラに記録用紙に接触する呼込み位置と、前記給紙ローラが前記逆転ローラに接触する分離・給紙位置に位置決めする請求項１又は２記載の給紙装置。
【請求項４】
請求項１乃至３のいずれかに記載の給紙装置を有することを特徴とする画像形成装置。
【発明の詳細な説明】
【０００１】
【発明の属する技術分野】
この発明は、複写機やプリンタ，ファクシミリ装置等で給紙カセットに収納された記録用紙を分離して画像形成部に搬送する給紙装置及びそれを使用した画像形成装置に関するものである。
【０００２】
【従来の技術】
複写機等で記録用紙に画像を形成するときに、給紙カセットに収納された記録用紙を分離して画像形成部に搬送して画像を転写する。この記録用紙を給紙カセットから画像形成部に供給するときに、印字不良や紙詰まりによる装置の停止等の不具合をなくすために、記録用紙を給紙装置で１枚ずつ分離して画像形成部に搬送する必要がある。この記録用紙を１枚ずつ分離する機構の１つとして、例えば特開平９−202477号公報や特開平11−59941号公報等に示すように、ＦＲＲ給紙方式が採用されている。このＦＲＲ給紙方式は、例えば図７に示すように、記録用紙３２を収納する給紙カセット２８の上部に設けられた呼込みローラ３１と、呼込みローラ３１より記録用紙３２の搬送方向の下流側に設けられた給紙ローラ３３と、記録用紙３２の搬送経路を挟んで給紙ローラ３３と対向して設けられた逆転ローラ３４とを有する。給紙カセット２８は内部に回動自在な押上げアーム３８を有し、押上げアーム３８により収納された記録用紙３２を押上げている。この押上げられた記録用紙３２の最も上にある記録用紙３２は一定位置に位置決めされている。呼込みローラ３１は、ピックアップソレノイド７０の動作により、押上げアーム３８により持ち上げられた記録用紙３２の最も上にある記録用紙３２に接離する。給紙ローラ３３の回転軸には給紙クラッチ３９を介して給紙モータ４０が取り付けられている。この給紙ローラ３３と呼込みローラ３１は中継ギヤ群７１で連結され、給紙ローラ３３の回転により呼込みローラ３１も回転する。逆転ローラ３４はトルクリミッタ４３を内蔵し、加圧ソレノイド７２の動作により給紙ローラ３３に対して接離する。
【０００３】
給紙カセット２８に収納された記録用紙３２を画像形成部に搬送するときは、給紙モータ４０の回転を開始する同時に加圧ソレノイド７２をオンして逆転ローラ３１を給紙ローラ３３に接触させる。その後、ピックアップソレノイド７０をオンして呼込みローラ３１を給紙カセット２８に収納された記録用紙３２の上面に接触させる。この状態で給紙クラッチ３９をオンにすると給紙ローラ３３が回転し、中継ギヤ群７１を介して呼込みローラ３１が回転し、給紙カセット２８内の最も上にある記録用紙３２をピックアップして給紙ローラ３３と逆転ローラ３４の間に送る。給紙ローラ３３は送られた記録用紙３２を搬送する。この給紙ローラ３３で記録用紙３２を搬送するときに、逆転ローラ３４は内蔵されたトルクリミッタ４３のトルクを超えた給紙ローラ３３との摩擦力により給紙ローラ３３と連れ回る。このとき２枚以上の記録用紙３２が給紙されると、逆転ローラ３４はトルクリミッタ４３の働きにより、下側の記録用紙３２を戻す方向に回転する。給紙ローラ３３で搬送されている記録用紙３２を反射型の用紙検出センサ４２で検知すると、ピックアップソレノイド７０をオフにして呼込みローラ３１を持ち上げて記録用紙３２から離し、給紙ローラ３３で搬送する記録用紙３２の負荷を軽減させる。この記録用紙３２をレジストローラ７３まで搬送したら給紙クラッチ３９をオフにして給紙モータ４０の回転を停止し、加圧ソレノイド７２をオフにして逆転ローラ３４を給紙ローラ３３から離す。
【０００４】
このように記録用紙を搬送するときだけ逆転ローラを給紙ローラに接触させ、記録用紙を搬送しないときは逆転ローラを給紙ローラから離しておくことにより、給紙ローラと逆転ローラの長寿命化を図ることができるとともに、記録用紙のジャムが生じたときに、ジャムが生じた記録用紙を容易に除去することができる。
【０００５】
【発明が解決しようとする課題】
上記従来の給紙方式では、呼込みローラを記録用紙に接離するピックアップソレノイドと逆転ローラを給紙ローラに接触させる加圧ソレノイドの２つのソレノイドを必要とするとともに、ピックアップソレノイドと加圧ソレノイドを所定のタイミングを取りながら制御してオン・オフさせる制御装置が必要であり、コストダウンを図ることは困難であった。
【０００６】
この発明は係る短所を改善し、呼込みローラの記録用紙に対する接離と、逆転ローラと給紙ローラの接離を１つの駆動源で行い、低コストの給紙装置及びそれを使用した画像形成装置を提供することを目的とするものである。
【０００７】
【課題を解決するための手段】
この発明に係る給紙装置は、積層された記録用紙を移動する呼込みローラと、呼込みローラより記録用紙の搬送経路の下流側に設けられた給紙ローラと、記録用紙の搬送経路を挟んで給紙ローラと対向して設けられた逆転ローラとを有し、前記呼込みローラと給紙ローラを、中心部に回動支点を有する回動アームの両端部で保持し、前記呼込みローラの記録用紙に対する接触と前記給紙ローラの前記逆転ローラに対する接触を前記回動アームの回動により切り替える給紙装置であって、前記給紙ローラと逆転ローラのニップ部の前記逆転ローラの両側近傍に、前記呼込みローラが記録用紙と接触して記録用紙を移動しているときに、移動している記録用紙を逆転ローラの表面から持ち上げ、前記呼込みローラと記録用紙の接触を解除して前記給紙ローラを前記逆転ローラに接触したときに記録用紙の搬送経路から退避して記録用紙の持ち上げを解除する離間手段を有することを特徴とする。
【０００８】
前記呼込みローラの記録用紙に対する接触を、給紙ローラの下流側に設けた用紙検出センサからの用紙検出信号により解除して給紙ローラを逆転ローラに接触させると良い。
【０００９】
また、前記回動アームを、呼込みローラが記録用紙に接触しなく、給紙ローラも逆転ローラに接触しない初期位置と、呼込みローラに記録用紙に接触する呼込み位置と、給紙ローラが逆転ローラに接触する分離・給紙位置に位置決めすることが望ましい。
【００１１】
この発明に係る画像形成装置は、上記給紙装置を有することを特徴とする。
【００１２】
【発明の実施の形態】
この発明のデジタル複写機は複写機本体と原稿自動送り装置と自動仕分け装置とを有する。複写機本体は原稿を読み取るスキャナ部と、書込ユニットとエンジン部及び給紙ユニットとからなるプリンタ部を有する。エンジン部は画像形成ユニットと１次転写ユニットと２次転写ユニット及び定着ユニットを有する。画像形成ユニットは、帯電チャージャで帯電した感光体上に書込みユニットから出射されるレーザビームで静電潜像を形成し、形成した静電潜像をカラー現像部で可視化してトナー像を形成する。１次転写ユニットは感光体に形成されたトナー像を中間転写ベルトに１次転写して各色のトナー像を重ね合わす。２次転写ユニットは中間転写ベルトに転写されたトナー像を記録用紙に２次転写する。定着ユニットは記録用紙に転写されたトナー像を熱と圧力で定着する。給紙ユニットは複数の給紙カセットを有し、記録用紙を２次転写ユニットに送る。
【００１３】
給紙ユニットの給紙カセットには、給紙カセットの上部に設けられた呼込みローラと、呼込みローラより記録用紙の搬送方向の下流側に設けられた給紙ローラと、記録用紙の搬送経路を挟んで給紙ローラと対向して設けられた逆転ローラと、中央部に回動支点を有し、両端部に呼込みローラと給紙ローラを回転自在に保持した回動アーム及び回動アームを回動するソレノイドやサーボモータ等の駆動部を有する。
【００１４】
この給紙カセットで記録用紙を搬送していない待機時には、回動アームを初期位置に保持して、呼込みローラを給紙カセットに収納された記録用紙から離し、給紙ローラを逆転ローラから離した状態にしておく。この状態でデジタル複写機のエンジン部で作像工程を開始すると、駆動部は回動アームを回動支点を中心にして回動し、呼込みローラを給紙カセットに収納された記録用紙の最上面に接触させ、呼込みローラを回転して給紙カセット内の最も上にある記録用紙をピックアップして給紙ローラと逆転ローラのニップ部に送る。この送られた記録用紙の先端を給紙ローラの下流側に設けた用紙検出センサで検出すると、駆動部は回動アームを逆方向に回動し、呼込みローラを記録用紙から離して給紙ローラを逆転ローラに接触させ、給紙ローラと逆転ローラで記録用紙を挟み込んで分離・搬送する。この給紙ローラで搬送されている記録用紙が給紙ローラの位置を通過し、搬送されている記録用紙の後端が用紙検出センサの位置を通過すると、駆動部は回動アームを回動して初期位置に戻し、給紙ローラを逆転ローラ３４から離し、呼込みアームを給紙カセットに収納された記録用紙から離した状態にする。
【００１５】
【実施例】
〔実施例１〕図１はこの発明の一実施例の構成を示すブロック図である。図に示すように、デジタル複写機１は複写機本体２と原稿自動送り装置（以下、ＡＤＦという）３と自動仕分け装置４とを有する。複写機本体２は原稿を読み取るスキャナ部５と、書込ユニット６とエンジン部７及び給紙ユニット８とからなるプリンタ部９を有する。ＡＤＦ３は読み取る原稿をスキャナ部５に送り、スキャナ部５で読み取った原稿を回収する。スキャナ部５は光源と複数のミラーを有するキャリッジ１０とレンズ１１とＣＣＤ１２を有し、ＡＤＦ３で送られた原稿を走査して読み取る。書込ユニット６はレーザ光源やポリゴンミラー等を有し、画像情報を含むレーザビーム１３をエンジン部７に出射する。エンジン部７は、図２の構成図に示すように、画像形成ユニット１４と１次転写ユニット１５と２次転写ユニット１６及び定着ユニット１７を有する。画像形成ユニット１４は、感光体１８の周囲に配置された帯電チャージャ１９とシアン（Ｃ），マゼンタ（Ｍ），イエロー（Ｙ），ブラック（Ｋ）からなるカラー現像部２０及びドラムクリーニング部２１を有し、帯電チャージャ１９で帯電した感光体１８上に書込みユニット６から出射されるレーザビーム１３で静電潜像を形成し、形成した静電潜像をカラー現像部２０で可視化してトナー像を形成する。１次転写ユニット１５は中間転写ベルト２２と１次転写部２３とテンションローラ２４と２次転写ローラ２５とクリーニング部２６及び基準位置センサ２７を有し、感光体１８に形成されたトナー像を中間転写ベルト２２に１次転写して各色のトナー像を重ね合わす。中間転写ベルト２２は感光体１８上のトナー像を１次転写するとき以外は接離機構によって感光体１８表面から離れ、中間転写ベルト２２に画像を１次転写するときだけ感光体１８表面に圧接される。２次転写ユニット１６は中間転写ベルト２２に転写されたトナー像を記録用紙に２次転写する。定着ユニット１７は記録用紙に転写されたトナー像を熱と圧力で定着する。給紙ユニット８は複数の給紙カセット２８ａ〜２８ｃと手差トレイ２９を有し、記録用紙を２次転写ユニット１６に送る。自動仕分け装置４は複数段の仕分けビン３０ａ〜３０ｎを有し、画像が形成された記録用紙を仕分けして排出する。
【００１６】
このデジタル複写機１でスキャナ部５で読み取った原稿の画像形成サイクルが始まると、形成する画像が１色の場合は、読み取った原稿の画像データにより感光体１８にトナー像を形成し、形成されたトナー像を中間転写ベルト２２に１次転写する。２次転写ユニット１６は中間転写ベルト２２に転写されたトナー像の先端に合わせて給紙された記録用紙にトナー像を２次転写する。トナー像を転写した記録用紙は定着ユニット１７に送られ加熱，加圧して定着される。トナー像が定着された記録用紙は自動仕分け装置４に排出される。また、中間転写ベルト２２に残留しているトナーはクリーニング部２６で回収する。
【００１７】
形成する画像が２色以上の場合は、中間転写ベルト２２に設けた基準マークを基準位置センサ２７で検出したことを基準にしてスキャナ部５で原稿を読み取り、読み取った画像データを制御部３１の中央制御部３２に送るとともに画像メモリ３３に格納する。中央制御部３２は送られた画像データにより感光体１８に第１色目のトナー像を形成し、感光体１８に形成したトナー像を中間転写ベルト２２に１次転写する。引き続いて中央制御部３２は画像メモリ３３に格納された画像データにより感光体１８に第２色目のトナー像を形成し、感光体１８に形成したトナー像を中間転写ベルト２２に１次転写する。この感光体１８に対する画像形成と中間転写ベルト２２に対する１次転写を各色毎に繰り返す。すなわち、２色の画像を形成する場合には中間転写ベルト２２を２回転し、フルカラーの画像を形成する場合には中間転写ベルト２２を４回転して、各回転毎に感光体１８に形成されたトナー像を中間転写ベルト２２に１次転写して各色の画像を位置ずれなしに重ね合わせる。所定の色のトナー像を中間転写ベルト２２に転写したら、中間転写ベルト２２に転写されたトナー像の先端に合わせて給紙された記録用紙にトナー像を２次転写し、定着ユニット１７で加熱，加圧して定着する。
【００１８】
給紙ユニット８の各給紙カセット２８ａ〜２８ｃには、図３（ａ）の構成図に示すように、給紙カセット２８の上部に設けられた呼込みローラ３１と、呼込みローラ３１より記録用紙３２の搬送方向の下流側に設けられた給紙ローラ３３と、記録用紙３２の搬送経路を挟んで給紙ローラ３３と対向して設けられた逆転ローラ３４と、中央部に回動支点３５を有し、両端部に呼込みローラ３１と給紙ローラ３３を回転自在に保持した回動アーム３６及び回動アーム３６を回動するソレノイドやサーボモータ等の駆動部３７を有する。各給紙カセット２８ａ〜２８ｃは内部に回動自在な押上げアーム３８を有し、押上げアーム３８で各給紙カセット２８ａ〜２８ｃに収納した記録用紙３２を押上げて、記録用紙３２の最上面を一定位置に位置決めしている。給紙ローラ３３の回転軸には給紙クラッチ３９を介して給紙モータ４０が取り付けられている。給紙ローラ３３と呼込みローラ３１はタイミングベルト４１で連結され、給紙ローラ３３の回転により呼込みローラ３１も回転する。給紙ローラ３３の下流側には搬送されている記録用紙３２を検出する反射型の用紙検出センサ４２を有する。逆転ローラ３４はトルクリミッタ４３を内蔵し、給紙ローラ３３が逆転ローラ３４に接触して記録用紙３２を搬送しているときに、トルクリミッタ４３のトルクを超えた摩擦力により給紙ローラ３２と連れ回り、２枚以上の記録用紙３２が給紙されると、トルクリミッタ４３の働きにより、下側の記録用紙３２を戻す方向に回転する。
【００１９】
上記のように構成された各給紙カセット２８ａ〜２８ｃにおいて、記録用紙３２を搬送していない待機時には、図４（ａ）に示すように、回動アーム３６を初期位置に保持して、呼込みローラ３１を給紙カセット２８に収納された記録用紙３２から離し、給紙ローラ３３を逆転ローラ３４から離した状態にしておく。この状態でデジタル複写機１のエンジン部７で作像工程を開始すると、給紙カセット２８の給紙モータ４０の回転を開始し、同時に駆動部７は、図４（ｂ）に示すように、回動アーム３６を回動支点３５を中心にして反時計方向に回動し、呼込みローラ３１を給紙カセット２８に収納された記録用紙３２の最上面に接触させる。この状態で給紙クラッチ３９をオンにすると給紙ローラ３３が回転し、給紙ローラ３３の回転に伴って呼込みローラ３１が回転し、給紙カセット２８内の最も上にある記録用紙３２をピックアップして給紙ローラ３３と逆転ローラ３４のニップ部に送る。この給紙ローラ３３と逆転ローラ３４の間に記録用紙３２が送られたとき、逆転ローラ３４は送られた記録用紙３２を上流側に戻そうと作用し、例えば２枚の記録用紙３２が送られたときに下側の記録用紙３２が搬送されないようにして１枚の記録用紙３２だけを下流側に送る。この送られた記録用紙３２の先端を用紙検出センサ４２で検出すると、駆動部３７は回動アーム３６を時計方向に回動し、図４（ｃ）に示すように、呼込みローラ３１を記録用紙３２から離して給紙ローラ３３を逆転ローラ３４に接触させ、給紙ローラ３３と逆転ローラ３４で記録用紙３２を挟み込んで搬送する。この給紙ローラ３３で搬送されている記録用紙３２が給紙ローラ３３の位置を通過し、搬送されている記録用紙３２の後端が用紙検出センサ３２の位置を通過すると、駆動部３７は回動アーム３６を反時計方向に回動して、図４（ａ）に示すように、初期位置に戻して、給紙ローラ３３を逆転ローラ３４から離し、呼込みアーム３１を給紙カセット２８に収納された記録用紙３２から離した状態にする。
【００２０】
このようにして給紙カセット２８に収納された記録用紙３２を給紙するときに、回動アーム３６を駆動部３７で回動することにより、呼込みローラ３１を給紙カセット２８に収納された記録用紙３２に対して接離させることと、給紙ローラ３３を逆転ローラ３４に対して接離させることを交互に切り替えて行うことができ、給紙カセット２８に収納した記録用紙３２のピックアップと搬送の切替を１つの駆動部３７で行うことができ、給紙カセット２８のＦＲＲ分離・給紙機構を低コスト化することができる。
【００２１】
〔実施例２〕次に給紙カセット２８に回動アーム３６を回動して呼込みローラ３１と給紙ローラ３３を位置決めする切替・位置決め機構を有する実施例について説明する。切替・位置決め機構５０は、図５の構成図に示すように、中心部に回動支点３５を有し、両端部に呼込みローラ３１と給紙ローラ３３を回転自在に保持した回動アーム３６と、回動ギヤ５１と位置センサ部５２及び回動ギヤ５１を回動する駆動部３７を有する。回動アーム３７は回転支点３５が設けられたアーム中心部５３と、呼込みローラ３１と給紙ローラ３３をそれぞれ保持するローラ保持部５４を有し、各ローラ保持部５４は圧力設定用の板ばね５５によりアーム中心部５３に連結されている。回動ギヤ５１は、円弧状のギヤ部５６と、回転中心に対してギヤ部５６の反対側に設けられたセンサアーム５７を有し、回動アーム３６のアーム中心部５３に固定されている。位置センサ部５２は第１の位置センサ５８ａと第２の位置センサ５８ｂと第３の位置センサ５８ｃとを有する。第１の位置センサ５８ａは回動アーム３６が回動したときに、呼込みローラ３１の位置を規制し、第２の位置センサ５８ｂは回動アーム３６の初期位置を規制し、第３の位置センサ５８ｃは回動アーム３６が回動したときに、給紙ローラ３３の位置を規制する。駆動部３７にはパルスモータからなる駆動モータ５９と、駆動モータ５９の回転軸に連結され、回動ギヤ５１のギヤ部５６と噛み合う減速ギヤー群６０を有する。
【００２２】
上記のように構成した切替・位置決め機構５０において、デジタル複写機１が待機状態で給紙カセット２８に収納された記録用紙３２を給紙しないとき、回動ギヤ５１のセンサアーム５７の先端部は位置センサ部５２の第２の位置センサ５８ｂの位置にあり、呼込みローラ３１を給紙カセット２８に収納された記録用紙３２から離し、給紙ローラ３３を逆転ローラ３４から離した状態にしておく。
【００２３】
この状態でデジタル複写機１のエンジン部７で作像工程を開始すると、給紙カセット２８の給紙モータ４０の回転を開始すると同時に駆動モータ５９を回転して回動ギヤ５１を反時計方向に回動する。この回動ギヤ５１の回動に伴って回動アーム３６も反時計方向に回動し、呼込みローラ３１を給紙カセット２８に収納された記録用紙３２の最上面に接触させる。さらに、回動ギヤ５１が回動してセンサアーム５７の先端部を第１の位置センサ５８ａで検出すると駆動モータ５９の回転を停止する。駆動モータ５９の回転を停止すると、回動ギヤ５１と回動アーム３６は駆動モータ５９の保持力により停止した位置を保持し、呼込みローラ３１の記録用紙３２に対する接触圧を回動アーム３１の板ばね５５の撓みにより定まる一定の圧力に保持する。この状態で給紙クラッチ３９をオンにすると給紙ローラ３３が回転し、給紙ローラ３３の回転に伴って呼込みローラ３１も回転する。この呼込みローラ３１の回転により給紙カセット２８内の最も上にある記録用紙３２をピックアップして給紙ローラ３３と逆転ローラ３４の間に送る。この送られた記録用紙３２の先端を用紙検出センサ４２で検出すると、駆動モータ５９は回動アーム３６を時計方向に回動して回動アーム３６を時計方向に回動して給紙ローラ３３を逆転ローラ３４に接触させる。さらに回動ギヤ５１が回動してセンサアーム５７の先端部を第３の位置センサ５８ｃで検出すると駆動モータ５９の回転を停止し、給紙ローラ３３の逆転ローラ３４に対する接触圧を回動アーム３６の板ばね５５の撓みで定まる一定圧力に保持する。この逆転ローラ３４に一定の圧力で接触している給紙ローラ３３の回転により記録用紙３２を搬送する。この給紙ローラ３３で搬送されている記録用紙３２が給紙ローラ３３の位置を通過し、記録用紙３２の後端が用紙検出センサ３２の位置を通過すると、駆動モータ５９は回動ギヤ５１を反時計方向に回動し、回動ギヤ５１の回動に伴って回動アーム３６を反時計方向に回動して給紙ローラ３３と逆転ローラ３４の接触を解除する。回動ギヤ５１が回動してセンサアーム５７の先端部を第２の位置センサ５８ｂで検出すると、駆動モータ５９は回転を停止し、回動ギヤ５９と回動アーム３６を初期位置に保持して、呼込みローラ３１を給紙カセット２８に収納された記録用紙３２から離し、給紙ローラ３３を逆転ローラ３４から離した状態にする。
【００２４】
このように給紙カセット２８に収納された記録用紙３２を給紙するときに、回動ギヤ５１の回動に伴って回動アーム３６を回動し、呼込みローラ３１を給紙カセット２８に収納された記録用紙３２に対して一定接触圧で接触させるとともに、給紙ローラ３３を逆転ローラ３４に対して一定の接触圧で接触させるから、記録用紙５２を１枚ずつ安定して給紙することができ、エンジン部７で形成した画像を記録用紙５２に安定して転写することができる。
【００２５】
〔実施例３〕上記のように呼込みローラ３１の回転により給紙カセット２８内の最も上にある記録用紙３２をピックアップして給紙ローラ３３と逆転ローラ３４のニップ部に送っているとき、逆転ローラ３４は給紙ローラ３３が接触して加圧されるまで記録用紙３２を上流側に戻そうとする。この記録用紙３２が上流側に戻されることを防ぐため、図６に示すように、逆転ローラ３４の部分を除いて幅方向に、記録用紙３２の幅より外側の両サイドに伸びる離間プレート６１を設けて、給紙ローラ３３と逆転ローラ３４のニップ部に送られている記録用紙３２に逆転ローラ３４が接触しないようにすると良い。この離間プレート６１は、中心部に支点６２を有し、記録用紙３２との接触部と反対側にばね６３が取り付けられ、図６（ａ）に示すように、記録用紙３２との接触部が逆転ローラ３４の表面より僅かに給紙ローラ３３側に記録用紙３２の下面を持ち上げるようにストッパ６４で係止されている。給紙ローラ３３を保持するローラ保持部５４には軸心近傍から逆転ローラ３４側に伸びる突き板６５を有する。そして回動ギヤ５１が回動して給紙ローラ３３が逆転ローラ３４側に移動するにしたがって、離間プレート６１はローラ保持部５４の突き板６５により逆転ローラ３４側に押し下げられ、給紙ローラ３３が逆転ローラ３４に接触すると、図６（ｂ）に示すように、離間プレート６１の記録用紙３２との接触部は逆転ローラ３４の表面より軸心側に移動して記録用紙３２との接触を解除する。このようにして給紙ローラ３３が逆転ローラ３４に接触するまで呼込みローラ３１で送られている記録用紙３２に逆転ローラ３４が接触しないから、呼込みローラ３１により送られている記録用紙３２を安定して移動させることができる。
【００２６】
【発明の効果】
この発明は以上説明したように、呼込みローラと給紙ローラを中心部に回動支点を有する回動アームの両端部で保持し、呼込みローラの記録用紙に対する接触と給紙ローラの逆転ローラに対する接触を回動アームの回動により、呼込みローラを記録用紙に対して接離させることと、給紙ローラを逆転ローラに対して接離させることを交互に切り替えて行うことにより、積層された記録用紙のピックアップと搬送の切替を１つの駆動部で行うことができ、ＦＲＲ分離・給紙機構を低コスト化することができる。
【００２７】
また、呼込みローラの記録用紙に対する接触を、給紙ローラの下流側に設けた用紙検出センサからの用紙検出信号により解除して給紙ローラを逆転ローラに接触させることに、記録用紙のピップアップと搬送を安定して行うことができる。
【００２８】
さらに、回動アームを、呼込みローラが記録用紙に接触しなく、給紙ローラも逆転ローラに接触しない初期位置と、呼込みローラに記録用紙に接触する呼込み位置と、給紙ローラが逆転ローラに接触する分離・給紙位置に位置決めすることにより、記録用紙のピップアップと搬送を安定して行うことができるとともに各ローラの不要な回転による接触摩耗の防止することができる。また、記録用紙のセットや取り外しを容易にできるとともに給紙中に記録用紙にジャムが発生したときに、ジャムが生じた記録用紙を容易に取り除くことができる。
【００２９】
さらに、給紙ローラと逆転ローラのニップ部の逆転ローラの両側近傍に、呼込みローラが記録用紙と接触して記録用紙を移動しているときに、移動している記録用紙を逆転ローラの表面から持ち上げ、呼込みローラと記録用紙の接触を解除して給紙ローラを逆転ローラに接触したときに記録用紙の搬送経路から退避して記録用紙の持ち上げを解除する離間手段を設けることにより、呼込みローラにより送られている記録用紙を安定して移動させることができる。
【００３０】
また、この給紙装置を複写機やプリンタ等の画像形成装置に使用することにより、画像形成部に記録用紙を安定して給紙できるとともに低コスト化することができる。
【図面の簡単な説明】
【図１】この発明の一実施例の構成を示すブロック図である。
【図２】エンジン部の構成図である。
【図３】給紙ユニットの構成図である。
【図４】記録用紙を給紙する時の動作を示す説明図である。
【図５】第２の実施例の構成図である。
【図６】第３の実施例の構成図である。
【図７】従来例の構成図である。
【符号の説明】
１；デジタル複写機、２；複写機本体、３；ＡＤＦ、４；自動仕分け装置、
５；スキャナ部、６；書込ユニット、７；エンジン部、８；給紙ユニット、
９；プリンタ部、１４；画像形成ユニット、１５；１次転写ユニット、
１６；２次転写ユニット、１７；定着ユニット、２８；給紙カセット、
３１；呼込みローラ、３２；記録用紙、３３；給紙ローラ、
３４；逆転ローラ、３５；回動支点、３６；回動アーム、３７；駆動部、
３９；給紙クラッチ、４０；給紙モータ、４１；タイミングベルト、
４２；用紙検出センサ、４３；トルクリミッタ。
【図１】
0003872276.tif 000002
【図２】
0003872276.tif 000003
【図３】
0003872276.tif 000004
【図４】
0003872276.tif 000005
【図５】
0003872276.tif 000006
【図６】
0003872276.tif 000007
【図７】
0003872276.tif 000008